(57)【要約】【課題】夜間のランニングやウォーキングにおいて、運動のバランス、フォームの改善をはかりながら、他の歩行者、自転車や自動車に対して自分の存在を認識させ事故防止をおこない、さらに走路の段差や障害物での怪我の防止を目的として、運動のテンポを乱さずに楽しくランニングやウォーキングを行えるＬＥＤ付きランニンググリップを提供する。【解決手段】ハンドグリップ本体内にライト用の各種ＬＥＤ、ブザーおよび電源、ＬＥＤ駆動回路を内蔵し、さらに加速度センサーによりランニングやウォーキング時の腕振り動作のテンポ検出を行い、検出したテンポで、ＬＥＤライト類やブザーの動作を制御を行うことを特徴とするＬＥＤ付きランニングリップ。【選択図】図２
2016184555.tif 000002
【特許請求の範囲】
【請求項１】
ウォーキングやランニングの時に用いるハンドグリップ本体の一端に前照ライト部を備え、その前照ライト部はハンドグリップ本体を握り、腕が前方水平状態になっても前照ライトが前方を照らすことが出来る照射角度調整部を持たせる、さらに、ハンドグリップ本体のグリップ部を握った手の甲を円弧状に覆うようにグリップ部の両端を繋ぐかたちで光ファイバーを配置し、光ファイバーの両断面から本体に内蔵した高輝度ＬＥＤで光を当てることで、光ファイバーに高輝度ＬＥＤの光が導光されて光ファイバー全体が光り広い視認性が得られる構造を持ち、さらに、前照ＬＥＤライトや光ファイバーの高輝度ＬＥＤの点滅動作においては、ウォーキングやランニングの運動のテンポとの同調をはかる上で、加速度センサーとマイコンを装備して腕振り動作にて生じる加速度を計測し、ランニングでの腕振り動作状態の検出を行い、その検出された情報をもとに、ＬＥＤライト類の点灯動作を制御を行い、また、腕振り動作に同期して鳴らすブザーも内蔵することを特徴とするＬＥＤ付きランニングリップ。
【請求項２】
光ファイバーの代わりに、グリップ部の上下に幅広リング状ＬＥＤ発光部を設けることで、左手用、右手用と持ち手を定めない形態で広い視認性を得る構造としたことを特徴とする請求項１におけるＬＥＤ付きランニングリップ。
【発明の詳細な説明】
【技術分野】
【０００１】
本発明は、ウォーキングやランニング時の身体のバランスやフォームの改善、さらに運動効率アップを目的としたハンドグリップに、夜間での安全確保のためのライトを設けたＬＥＤライト付きランニング用グリップに関するものである。
【背景技術】
【０００２】
（イ）ウォーキングやランニング時の身体のバランスやフォームの改善および、運動効率アップを目的としたハンドグリップは従来から存在する（特許文献１参照）。
（ロ）また、夜間での周囲（他の歩行者、自転車、自動車など）に自分の存在を認識してもらうためのライトや、さらには自分の足元も照らす機能をもったライトも存在する。
（ハ）しかし、上記機能を１つに合わせ持ったものはなかった。
（ニ）一方、夜間でのウォーキング時の安全性確保の目的とした、永久磁石とコイルを動力源としたランプ付きウォーキングダンベルも知られている（特許文献２参照）。
【先行技術文献】
【特許文献】
【０００３】
【特許文献１】実用新案登録第３０８７２２１号公報
【特許文献２】特開２０１３−１４５６９０号公報
【発明の概要】
【発明が解決しようとする課題】
【０００４】
従来は、以下のような欠点があった。
（イ）夜間のランニングを快適で安全に行う上では、ハンドグリップ（特許文献１）や周囲に自分の存在を認識してもらうライトや足元を照らすライトをそれぞ準備し、装着するという手間がかかった。さらに、前方、後方さらに側面から周囲（他の歩行者、自転車、自動車など）に自分の存在を認識をしてもらうためには、複数のライトを準備し装着する必要があった。
（ロ）ランプ付きウォーキングダンベル（特許文献２）においては、ランプ動作、スピーカー動作さらにカウンター動作などを、永久磁石とコイルを動力源として実現しようとするものであるが、ウォーキングでの腕振り動作で発生できるエネルギー量は限られており、さらに外部への磁気漏れ防止のシールドがされていることで、永久磁石の動作が抑制されることになり、一般的なウォーキング動作にて発生できるエネルギーはより少ないものとなる。したがって、記載された各種動作を十分に機能させることは困難である。
（ハ）現存するライト類においては、バッテリーの消耗を抑えたり、視認性を上げるために、ライトを点滅させる機能を持つが、その点滅周期とウォーキングやランニングの運動のテンポとが異なることで、不快感や運動のペースに影響することもあった。
本発明は、以上のような課題を解決するためになされたものである。
【課題を解決するための手段】
【０００５】
本発明は、ウォーキングやランニングの時に用いるハンドグリップに次のような機能を加わえている。外観構造としては大きくハンドグリップ本体と光ファイバーとで構成され、ハンドグリップ本体の一端に前照ライト部を備え、前照ライト部を親指側にしてハンドグリップ本体握り、腕が前方水平状態になっても前照ライトが前方を照らすことが出来る照射角度調整部を持たせる。
さらに、ハンドグリップ本体のグリップ部を握った手の甲を円弧状に覆うようにグリップ部の両端を繋ぐかたちで光ファイバーを配置する。光ファイバーの両断面からハンドグリップ本体に内蔵した高輝度ＬＥＤで光を当てることで、光ファイバーに高輝度ＬＥＤの光が導光されて光ファイバー全体が光る。
ハンドグリップ本体内には、前照ライト部にパワーＬＥＤを配置し、光ファイバーの両断面には高輝度ＬＥＤを配置する。
さらに、ハンドグリップ本体にバッテリー、ＬＥＤ駆動回路を内蔵し、各種操作スイッチも配置する。さらに、パワーＬＥＤや高輝度ＬＥＤの点滅動作とウォーキングやランニングの運動のテンポとの同調をはかる上で、加速度センサーとマイコンを装備して腕振り動作にて生じる加速度を計測し、ランニングでの腕振り動作状態の検出を行い、その検出された情報をもとに、ＬＥＤライト類の点灯動作を制御することで運動テンポとライト点滅動作との同調をはかる。
また、腕振り動作に同期して鳴らすブザーも内蔵する。
ハンドグリップ本体内に内蔵するバッテリー、ＬＥＤ駆動回路、マイコン、ブザーの配置については、本発明の機能を実現する上で限定することは必要なく、加速度センサーについては、ハンドグリップ本体のグリップ部の中心付近に配置することが、腕振り動作を正しく検出する上では望ましい。
本発明は、以上の構成からなるＬＥＤ付きランニングリップである。
【発明の効果】
【０００６】
（イ）夜間のランニングを行う際には、左右の手にそれぞれ本発明品のみを携帯することですむ。
（ロ）ランニングでの腕振り動作に同期して、ライト類の点滅をおこなわせることで、運動のテンポが乱されることが無く気持ち良く運動を継続できる。
（ハ）また、前照ライトの点滅動作にあっては、ランニング動作で腕が前方に振られている時に前照ライトを点灯し、腕が下向きから後方に振られている間は前照ライトを消灯させるが、前方足元を照らす上では左右の前照ライトで交互に照らされることで、ほぼ断続なく照らし続けることができ、十分な安全確認が行え、無駄な前照ライトの点灯を抑えることができる。
（ニ）さらに、信号待ちなどではライト類が自動消灯されるので電力の消費も抑えることができる。
（ホ）ハンドグリップ本体を握った状態で、手の甲を覆うように配置した光ファイバー全体を光らせることで、自分の存在を周囲に広く認識させることができる。
（ヘ）また、ランニングでの腕振り動作に同期して、ブザー音を発生させることで、歩行者などへ後方から接近する状況においても、相手からの注意を引くことができる。
【図面の簡単な説明】
【０００７】
【図１】本発明の斜視図
【図２】本発明の断面図
【図３】本発明の別の実施例を示す斜視図
【発明を実施するための形態】
【０００８】
以下、本発明の実施の形態を説明する。
（イ）図１は本発明の一例の斜視図を示す。図に示したものは左手用となり、右手用は光ファイバー（３）が左右逆に配置されたものになる。
（ロ）ウォーキングやランニングの時に用いるハンドグリップに次のような機能を加わえている。外観構造としては大きくハンドグリップ本体（１４）と光ファイバー（３）とで構成され、ハンドグリップ本体（１４）の一端に前照ライト部（１）を備え、前照ライト部（１）を親指側にしてハンドグリップ本体（１４）握り、腕が前方水平状態になっても前照ライト（１）が前方を照らすことが出来る照射角度調整部（５）を持たせる。
（ハ）さらに、ハンドグリップ本体（１４）のグリップ部（４）を握った手の甲を円弧状に覆うようにグリップ部（４）の両端を繋ぐかたちで光ファイバー（３）を配置する。光ファイバー（３）の両断面からハンドグリップ本体（１４）に内蔵した高輝度ＬＥＤ（７）で光を当てることで、光ファイバー（３）に高輝度ＬＥＤ（７）の光が導光されて光ファイバー（３）全体が光る。
（ニ）ハンドグリップ本体（１４）内には、前照ライト部（１）にパワーＬＥＤ（６）を配置し、光ファイバー（３）の両断面には高輝度ＬＥＤ（７）を配置する。さらに、バッテリー（８）、ＬＥＤ駆動回路（９）を内蔵し、各種操作スイッチ（２）も配置する。
（ホ）さらに、高輝度ＬＥＤ（７）や高輝度ＬＥＤ（７）の点滅動作とウォーキングやランニングの運動のテンポとの同調をはかる上で、加速度センサー（１０）とマイコン（１１）を装備して腕振り動作にて生じる加速度を計測し、ランニングでの腕振り動作状態の検出を行い、その検出された情報をもとに、ＬＥＤライト類（６）（７）の点灯動作を制御することで運動テンポとライト点滅動作との同調をはかる。前照ライト部（１）の点滅動作にあっては、ランニングの動作で腕が前方に振られている時にパワーＬＥＤ（６）を点灯し、腕が下から後方に振られている間はパワーＬＥＤ（６）を消灯させる。
（ヘ）また、腕振り動作に同期して鳴らすブザー（１２）も内蔵する。
（ト）ハンドグリップ本体（１４）内に内蔵するバッテリー（８）、ＬＥＤ駆動回路（９）、マイコン（１１）、ブザー（１２）の配置については、本発明の機能を実現する上で限定することは必要なく、加速度センサー（１０）については、ハンドグリップ本体（１４）のグリップ部（４）の中心付近に配置することが、ランニング時の腕振り動作を正しく検出する上では望ましい。
（チ）図３では高輝度ＬＥＤライト（７）の光の導光に光ファイバー（３）を使用せず、グリップ部（４）の両側に幅広リング状ＬＥＤ発光部（１３）を設けることで、左手用、右手用と持ち手を定めない形態のものも考えられる。
（リ）さらに、使用時の発汗や降雨を考慮して、防水性を備える。
本発明は以上の構成からなる。
本発明を使用する時には、左右の手でそれぞれハンドグリップ本体（１４）のグリップ部（４）を握って持ち、ウォーキングやランニングの運動を始める。そこでウォーキングやランニングにより左右の腕が交互に前後に振られる訳だが、腕が前方に振られた時には前照ＬＥＤライト部（１）のパワーＬＥＤ（６）が点灯することで進行方向の足元が照らされ、段差や障害物などの発見が出来る。腕が下向きから後方に振られている間は、前照ＬＥＤライト（１）のパワーＬＥＤ（６）は消灯となり、代わりに高輝度ＬＥＤ（７）を点灯させて光ファイバー（３）を光らせることで、周囲歩行者、自転車や車に広い範囲で自分の存在を認識させることができ、事故の防止になる。また、合わせてブザー（１２）を鳴らすことで、歩行者の後方から接近する状況においても相手の注意を引くことができる。
【符号の説明】
【０００９】
（１）前照ライト部
（２）操作スイッチ
（３）光ファイバー
（４）グリップ部
（５）照射角度調整部
（６）パワーＬＥＤ
（７）高輝度ＬＥＤ
（８）バッテリー
（９）ＬＥＤ駆動回路
（１０）加速度センサー
（１１）マイコン
（１２）ブザー
（１３）リング状ＬＥＤ発光部
（１４）ハンドグリップ本体
【図１】
2016184555.tif 000003
【図２】
2016184555.tif 000004
【図３】
2016184555.tif 000005